(57)【要約】【課題】コンタクトの形状が簡単であるにも拘らず、必要な接触力が得られるとともに、ケーブルの挿抜が容易な無負荷挿抜形中継コネクタを提供する。【解決手段】第１のケーブルが挿入される第１の収容空間を有するフロントハウジング、該フロントハウジングに対して回転可能であり、第２のケーブルが挿入される第３の収容空間を有するリアハウジング、平坦な弾性変形部、２つのケーブルと接触する２つの接点部、及び２つの折り曲げ部を含む複数のコンタクトを備え、フロント及びリアハウジングには、コンタクトを収容する第１及び第２の収容凹部が形成され、該第１及び第２の収容凹部は、対称的に形成されるとともに、第１及び第３の収容空間に向かって開放しており、コンタクトは、リアハウジングがフロントハウジングに対して所定の角度回転している第１の状態にあるとき、第１及び第２の収容凹部内に自由状態で収容されている。【選択図】図２
2008147130.tif 000002
【特許請求の範囲】
【請求項１】
第１のケーブルの接続部が挿入される第１の収容空間を有するフロントハウジング、
該フロントハウジングに対して所定の角度回転可能であり、第２のケーブルの接続部が挿入される第３の収容空間を有するリアハウジング、
平坦な弾性変形部、該弾性変形部の両端に位置し、それぞれ、前記第１のケーブル及び第２のケーブルと接触する２つの接点部、及び該２つの接点部において前記弾性変形部に対して所定の傾斜角度で折り曲げられている２つの折り曲げ部を含む複数のコンタクト、
を備え、
前記フロントハウジング及び前記リアハウジングには、それぞれ、前記コンタクトを収容する第１の収容凹部及び第２の収容凹部が形成され、
該第１の収容凹部及び第２の収容凹部は、前記リアハウジングの回転中心を挟んで対称的に形成されるとともに、それぞれ、対応する前記第１の収容空間及び前記第３の収容空間に向かって開放しており、
前記コンタクトは、前記リアハウジングが前記フロントハウジングに対して前記所定の角度回転している第１の状態にあるとき、前記第１の収容凹部及び前記第２の収容凹部内に自由状態で収容されていることを特徴とする無負荷挿抜形中継コネクタ。
【請求項２】
前記第１のケーブル及び前記第２のケーブルを、それぞれ、対応する前記フロントハウジングの前記第１の収容空間及び前記リアハウジングの前記第３の収容空間に挿入し、前記第１の状態から前記リアハウジングを回転させ、前記フロントハウジングと前記リアハウジングとが直線状に位置する第２の状態にあるとき、前記第１のケーブル及び前記第２のケーブルは、前記コンタクトを介して電気的に接続されることを特徴とする請求項１に記載の無負荷挿抜形中継コネクタ。
【請求項３】
前記リアハウジングは、前記フロントハウジング後方に形成され、少なくとも上方及び後方が開放されている第２の収容空間内に、前記フロントハウジングに対して回転可能に収容されていることを特徴とする請求項１または２に記載の無負荷挿抜形中継コネクタ。
【請求項４】
前記フロントハウジングと前記リアハウジングは、前記第１の収容空間と前記第３の収容空間の大きさを除いて、前記リアハウジングの前記回転中心を挟んで対称構造を有していることを特徴とする請求項１または２に記載の無負荷挿抜形中継コネクタ。
【請求項５】
一端が互いに回転可能に連結される第１のリンク及び第２のリンクの他端が、それぞれ、前記フロントハウジングと前記リアハウジングにヒンジ結合されていることを特徴とする請求項１ないし４のいずれかに記載の無負荷挿抜形中継コネクタ。
【発明の詳細な説明】
【技術分野】
【０００１】
本発明は、同じパターンの接続部を有するプリント基板やフレキシブル・プリント配線板（以下、「ＦＰＣ」という。）間を接続する中継コネクタに関し、特に、コネクタへの挿抜に要する力を必要としない無負荷挿抜形中継コネクタに関する。
【背景技術】
【０００２】
同じパターンの接続部を有するプリント基板やＦＰＣ間を接続する中継コネクタは、従来から知られている。近年、接続部における外部接点の数が増大し、これに伴い、外部接点に対応する中継コネクタのコンタクト数も増大する。中継コネクタのコンタクトは、弾性変形によりプリント基板やＦＰＣの接続部の外部接点に接触する。したがって、多数のコンタクトを変形させる必要から、プリント基板やＦＰＣの中継コネクタへの挿抜に大きな力が必要とされる。特に、ＦＰＣなどの柔軟なケーブル間を接続する場合、中継コネクタへの挿入が困難となり、場合によっては、挿入不能となる。これを解消し、プリント基板やＦＰＣなどの中継コネクタへの挿入またはそれからの抜き取りを容易にするために、例えば、特許文献１に開示されるように、挿抜力を要しない無負荷挿抜形コネクタが提案されている。
【０００３】
【特許文献１】実開平５−３１１６７号公報
【発明の開示】
【発明が解決しようとする課題】
【０００４】
しかしながら、プリント基板やＦＰＣの接続部の外部接点の数の増大化がさらに進むとともに、プリント基板やＦＰＣ、さらには中継コンタクトの小型化が要求され、外部接点間の間隔が微細ピッチ化されてきている。したがって、中継コネクタのコンタクト自体も小型化を要求され、それによりコンタクトの弾性変形能力が小さくなり、必要な接触力を得られず、安定した電気的接続が得られない恐れが生じる。また、小型化したコンタクトの弾性変形能力を大きくするためには、コンタクトの形状を複雑にせざるを得ず、製造時間や製造コストを引き上げる要因となり、中継コンタクトの小型化を阻むことになる。
【０００５】
本発明の目的は、このような問題点に鑑み、コンタクトの形状が簡単であるにも拘らず、必要な接触力が得られるとともに、ケーブルの挿抜が容易な無負荷挿抜形中継コネクタを提供することにある。
【課題を解決するための手段】
【０００６】
上記目的を達成するために、本発明に係る無負荷挿抜形中継コネクタは、第１のケーブルの接続部が挿入される第１の収容空間を有するフロントハウジング、該フロントハウジングに対して所定の角度回転可能であり、第２のケーブルの接続部が挿入される第３の収容空間を有するリアハウジング、平坦な弾性変形部、該弾性変形部の両端に位置し、それぞれ、前記第１のケーブル及び第２のケーブルと接触する２つの接点部、及び該２つの接点部において前記弾性変形部に対して所定の傾斜角度で折り曲げられている２つの折り曲げ部を含む複数のコンタクトを備え、前記フロントハウジング及び前記リアハウジングには、それぞれ、前記コンタクトを収容する第１の収容凹部及び第２の収容凹部が形成され、該第１の収容凹部及び第２の収容凹部は、前記リアハウジングの回転中心を挟んで対称的に形成されるとともに、それぞれ、対応する前記第１の収容空間及び前記第３の収容空間に向かって開放しており、前記コンタクトは、前記リアハウジングが前記フロントハウジングに対して前記所定の角度回転している第１の状態にあるとき、前記第１の収容凹部及び前記第２の収容凹部内に自由状態で収容されていることを特徴とする。
【０００７】
また、本発明に係る無負荷挿抜形中継コネクタは、前記第１のケーブル及び前記第２のケーブルを、それぞれ、対応する前記フロントハウジングの前記第１の収容空間及び前記リアハウジングの前記第３の収容空間に挿入し、前記第１の状態から前記リアハウジングを回転させ、前記フロントハウジングと前記リアハウジングとが直線状に位置する第２の状態にあるとき、前記第１のケーブル及び前記第２のケーブルは、前記コンタクトを介して電気的に接続されることを特徴とする。
【０００８】
さらに、前記リアハウジングは、前記フロントハウジング後方に形成され、少なくとも上方及び後方が開放されている第２の収容空間内に、前記フロントハウジングに対して回転可能に収容されていてもよいし、前記フロントハウジングと前記リアハウジングは、前記第１の収容空間と前記第３の収容空間の大きさを除いて、前記リアハウジングの前記回転中心を挟んで対称構造を有していてもよい。
【０００９】
また、一端が互いに回転可能に連結される第１のリンク及び第２のリンクの他端が、それぞれ、前記フロントハウジングと前記リアハウジングにヒンジ結合されていてもよい。
【発明の効果】
【００１０】
本発明に係る無負荷挿抜形中継コネクタは、該コネクタがリアハウジングをフロントハウジングに対して所定角度回転させた第１の状態にあるとき、コンタクトを自由状態に配置している。したがって、第１のケーブル及び第２のケーブルを、対応する第１の収容空間及び第３の収容空間内に無負荷の状態で挿入することができる。また、フロントハウジングとリアハウジングとが直線状となる第２の状態になるまで、リアハウジングを所定角度回転させるという簡単な操作で、コンタクトを変形させ、該コンタクトを介して第１のケーブルと第２のケーブルをように所定の接圧で電気的に接続することができる。しかも、リアハウジングの回転のための操作力を小さくすることが可能である。さらに、リンク機構を備えることで、操作力がより小さくて済む。
【００１１】
また、コンタクトの形状は、両端が単に折り曲げられた簡単な構造であり、製造が容易である。しかも、該コンタクトを収容凹部に配置するだけでよく、コネクタの構造も簡単化できる。
【発明を実施するための最良の形態】
【００１２】
以下、本発明に係る無負荷挿抜形中継コネクタ（以下、単に「コネクタ」という。）につき、図１ないし１１を用いて詳細に説明する。
【００１３】
（第１の実施例）
図１ないし６に本発明に係る第１の実施例としてのコネクタ１０が示されている。図１は、ＦＰＣなどのケーブルが挿入されていない第１の状態のコネクタの上面図であり、図２は、図１に示されるコネクタのＡ−Ａ線に沿う断面図である。図３は、ＦＰＣなどのケーブルが挿入され、ケーブル間を接続している第２の状態の、図１に示されるコネクタの上面図であり、図４は、図３に示されるコネクタのＢ−Ｂ線に沿う断面図である。図５は、図４に示されるコネクタにおいて、コンタクトに作用する力の関係を説明するための図であり、図６は、図４に示されるコネクタにおいて、コネクタを操作するのに必要な力の大きさを説明するための図である。
【００１４】
なお、本実施例の説明において、用語「前」及び「後」は、図１において、それぞれ、下方及び上方を指し、用語「左」及び「右」は、図１において、それぞれ、左方及び右方を指し、用語「上」及び「下」は、図２において、それぞれ、上方及び下方（図１においては、紙面に対して垂直方向であって、それぞれ、紙面前方及び紙面後方）を指す。
【００１５】
本実施例のコネクタ１０は、同じパターンで外部接点が配列されている第１のケーブルとしてのプリント配線板８０と第２のケーブルとしてのＦＰＣ９０とを内蔵するコンタクト６０を介して電気的に接続する。該コネクタ１０は、概略、フロントハウジング２０、リアハウジング４０及び複数のコンタクト６０を含んでいる。
【００１６】
フロントハウジング２０は、電気絶縁性の合成樹脂からなり、上壁２１、底壁２２、左側壁２８、右側壁２９及び後壁２３を有する。該フロントハウジング２０の上壁２１、底壁２２、左右の側壁２８、２９及び後壁２３で第１のケーブルとしてのプリント配線板８０の外部接点が設けられた接続部を収容する第１の収容空間２５を形成している。第１の収容空間２５は、前方に向けて開放する開口２５ａを含んでいる。
【００１７】
フロントハウジング２０の上壁２１には、該第１の収容空間２５に向かって下方に開放する第１の収容凹部２６が形成されている。この第１の収容凹部２６は、さらに、後壁２３を貫通して後方に向かって開放し、後述するリアハウジング４０の上壁４１に形成される第３の収容凹部４６とで複数のコンタクト６０を収容するコンタクト収容空間を形成している。第１の収容凹部２６の天井面３１後方は、後方に進むに従い上昇する傾斜面３２として形成され、該傾斜面３２は、水平面に対して所定の傾斜角θ２を有する。該傾斜面３２は、図２に示されるように、コネクタ１０にプリント配線板８０及びＦＰＣ９０が挿入される前の状態にあるとき、リアハウジング４０の第２の収容凹部４６の天井面５１の前方に形成される傾斜面５２と面一になる。
【００１８】
なお、第１の収容凹部２６には、隣接して平行に配設されるコンタクト６０間に位置するように仕切り壁（不図示）が形成されていてもよい。
【００１９】
フロントハウジング２０の底壁２２及び左右の側壁２８、２９は、後壁２３からさらに後方に延在し、上壁２１、底壁２２の延長部３５、左右の側壁２８、２９の延長部３８、３９及び後壁２３で、リアハウジング４０を回動自在に収容する第２の収容空間３７を形成する。第２の収容空間３９は、上方及び後方に開放している。左右の側壁２８、２９の延長部３８、３９の長さＬ２は、リアハウジングの長さＬ３と同じであり、また、フロントハウジング２０の長さＬ１に略等しい。底壁２２の延長部３５の長さは、左右の側壁２８、２９の長さＬ２よりリアハウジング４０の脚部４３の厚さ（図２における脚部４３の前後方向の長さ）分短い。底壁２２の延長部３５の後端には、リアハウジング４０に形成される係合爪５４が係止する係止爪３４が形成されている。
【００２０】
フロントハウジング２０の左右の側壁２８、２９の後端内側には、後方に進むに従い下降する傾斜面２７が形成されている。該傾斜面２７、２７は、垂直面に対して所定の傾斜角θを有する。傾斜面２７は、後述するリアハウジング４０の左右の側壁の前端に形成される傾斜面４７に相対して形成されている。このことから、左右の側壁２８、２９のそれぞれの延長部３８、３９は、リアハウジング４０の左右の側壁の厚さ分側壁２８、２９より薄く形成されていることが理解される。
【００２１】
リアハウジング４０は、フロントハウジング２０と同様に電気絶縁性の合成樹脂からなり、上壁４１、底壁４２、左側壁４８、右側壁４９、前壁５７及び脚壁４３を有する。リアハウジング４０の左右の側壁４８、４９前端底部には、左右に突出する一対の回転軸４４、４４が形成されている。リアハウジング４０の上壁４１、底壁４２、左右の側壁４８、４９及び前壁５７で第２のケーブルとしてのＦＰＣ９０の外部接点が設けられた接続部を収容する第３の収容空間４５を形成している。第３の収容空間４５は、後方に向けて開放する開口４５ａを含んでいる。
【００２２】
リアハウジング４０は、上述したように、フロントハウジング２０の後方に形成される第２の収容空間３７内に収容される。さらに、リアハウジング４０は、一対の回転軸４４がフロントハウジング２０の左右の側壁２８、２９の延長部３８、３９の対応する部分に設けられた軸受孔（不図示）に嵌合することで、フロントハウジング２０に対して回転自在に支持されている。リアハウジング４０の回転角度は、後述するように、リアハウジング４０が水平状態にあるとき、フロントハウジング２０側の傾斜面２７と、これに対向するリアハウジング４０側の傾斜面４７とは、角度２θをなすことから、最大２θである。なお、リアハウジング４０の回転を容易にするため、リアハウジング４０の底壁４２前端は、半円柱状に丸みを帯びて形成されている。さらに、フロントハウジング２０の後壁２３の後面と底壁２２の延長部３５とが交差する部分も丸みが形成されていることが好ましい（図２、４参照）。
【００２３】
リアハウジング４０の上壁４１には、第３の収容空間４５に向かって下方に開放する第２の収容凹部４６が形成されている。該第２の収容凹部４６は、以下の説明からも理解されるように、リアハウジング４０の回転中心（一対の回転軸４４、４４）を挟んで、フロントハウジング２０の第１に収容凹部２６と互いに逆向きに配置される対称構造を有している。この第２の収容凹部４６は、さらに、前壁５７を貫通して前方に向かって開放し、フロントハウジング２０の上壁２１に形成される第１の収容凹部２６とで複数のコンタクト６０を収容するコンタクト収容空間を形成している。第２の収容凹部４６の天井面５１前方は、前方に進むに従い上昇する傾斜面５２として形成されている。該傾斜面５２は、フロントハウジング２０の第１の収容凹部２６の傾斜面３２と相対するように形成され、第１の収容凹部２６の傾斜面３２と同じく水平面に対して所定の傾斜角θ２を有する。傾斜面５２は、上述したように、コネクタ１０にプリント配線板８０及びＦＰＣ９０が挿入される前の第１の状態にあるとき、第１の収容凹部２６の傾斜面３２と面一となる。なお、第２の収容凹部４６の天井面５１は、第２の収容凹部２６の天井面３１は、図４に示されるコネクタ１０にＦＰＣなどのケーブルが挿入され、ケーブル間を接続している第２の状態において、同一平面内にある。また、第２の収容凹部４６にも、隣接して平行に配設されるコンタクト６０間に位置するように仕切り壁（不図示）が形成されていてもよい。
【００２４】
リアハウジング４０の左右の側壁４８、４９の前端には、前方に進むに従い下降する傾斜面４７、４７が形成されている。該傾斜面４７各々は、フロントハウジング２０の左右の側壁の前端に形成される傾斜面２７、２７に相対して形成されている。該傾斜面４７、４７は、垂直面に対して傾斜角θを有する。したがって、図４に示されるように、コネクタ１０にＦＰＣなどのケーブルが挿入され、ケーブル間を接続している第２の状態にあるとき、フロントハウジング２０側の傾斜面２７と、これに対向するリアハウジング４０側の傾斜面４７とは、角度２θをなす。なお、図４において、傾斜面２７と傾斜面４７とが交差する点は、回転軸４４の中心であり、傾斜面２７と傾斜面４７とは略Ｖ字形状をなしている。
【００２５】
リアハウジング４０の底壁４２後端には、脚壁４３が設けられる。該脚壁４３は、底壁４２と略直角をなし、下方に向かって延在する。脚壁４３の長さは、フロントハウジング２０の底壁２２から後方に延びる延長部３５の厚さに略等しい。該脚部４３下端には、延長部３５後端に設けられた係止爪３４に係止する係止爪５４が形成されている。
【００２６】
次に、複数のコンタクト６０は、フロントハウジング２０側の第１の収容凹部２６とリアハウジング４０側の第２の収容凹部４６とで形成されるコンタクト収容空間内に収容される。複数のコンタクト６０は、コンタクト収容空間内で前後方向に延在し、互に平行に配置される。
【００２７】
コンタクト６０は、銅合金、リン青銅、ベリリウム銅、チタン銅のような導電性の金属箔板から作成されている。コンタクトと６０各々は、第１の折り曲げ部６１、第１の接点部６２、弾性変形部６３、第２の接点部６４及び第２の折り曲げ部６５を含んでいる。コンタクト６０の弾性変形部６３は、自由状態にあるときは、平坦であり、その前、後端に位置する第１及び第２の接点部６２、６４において、弾性変形部６３に対して角度２θをなすように折り曲げられ、それぞれ第１及び第２の折り曲げ部６１、６５に続いている。コンタクト６０の弾性変形部６３を水平に置いたとき、第１及び第２の折り曲げ部６１、６５のそれぞれの端部に下向きに力が加えられることにより、コンタクト６０の弾性変形部６３は、上方に向かって凸に湾曲する。それにより、第１及び第２の接点部６２及び６４の間の水平方向の距離は、若干小さくなる。言い換えれば、第１の接点部６２と第２の接点部６４とは、互に向かって近づくように移動する。なお、本実施例では、平坦な弾性変形部６３に対して第１及び第２の折り曲げ部６１、６５のなす角度を、リアハウジング４０のフロントハウジング２０に対して回転し得る角度２θに合わせているが、必ずしもこれに限られるものではない。平坦な弾性変形部６３に対して第１及び第２の折り曲げ部６１、６５のなす角度は、０度〜９０度までの間（但し、０度及び９０度は含まれない。）にあればよい。
【００２８】
図２に示されるようにコネクタ１０が第１の状態にあるとき、すなわち、コネクタ１０のリアハウジング４０がフロントハウジング２０に対して反時計方向に最大限に回転しているとき、コンタクト収容空間内に収容されるコンタクト６０は、自由状態にある。この時、第１の折り曲げ部６１の端部は、フロントハウジング２０の上壁２１に形成される第１の収容凹部２６の天井面３１に接するように配置されている。同様に、第２の折り曲げ部６５の端部は、リアハウジング４０の上壁４１に形成されている第２の収容凹部４６の天井面５１に接するように配置されている。また、弾性変形部６３は、平坦なままであり、第１の収容凹部２６の傾斜面３２と第２の収容凹部４６の傾斜面５２とで面一に形成された平面に沿って配置されている。この時、弾性変形部６３は、水平面に対して角度θ２をなして配置されている。さらに、第１の接点部６２は、フロントハウジング２０側のコンタクト収容空間を形成する第１の収容凹部２６とプリント配線板８０の接続部が収容される第１の収容空間２５との境界線上に配置されている。同様に、第２の接点部６４は、リアハウジング４０側のコンタクト収容空間を形成する第２の収容凹部４６とＦＰＣ９０の接続部が収容されるが第３の収容空間４５との境界線上に配置される。なお、コンタクト６０が図２に示されるようにコンタクト収容空間内に収容された状態を維持するために、第１の収容凹部２６の前端部及び第２の収容凹部４６の後端部には、それぞれ抜け防止用の突条部３３及び５３が形成されることが好ましい。また、コンタクト６０の第１の接点部６２及び第２の接点部６４は、設計誤差を考慮して、それぞれ第１の収容空間２５及び第３の収容空間４５内に若干突出するように配置されてもよい。
【００２９】
このような構造を備えるコネクタ１０を介して、プリント配線板８０とＦＰＣ９０とを電気的に接続する操作を以下具体的に説明する。
【００３０】
今、コネクタ１０は、図１、２に示されるように、コンタクト６０の弾性力も加わって、リアハウジング４０がフロントハウジング２０に対して角度２θ分反時計方向に回転した第１の状態にある。コネクタ１０が第１の状態にあるときは、上述したように、コネクタ１０にプリント配線板８０及びＦＰＣ９０が挿入されていない状態である。本実施例では、フロントハウジング２０の左右の側壁２８、２９の後端内側に形成された傾斜面２７、２７は、リアハウジング４０の左右の側壁４８、４９の前端に形成された傾斜面４７、４７と当接している。また、コンタクト６０は、コンタクト６０の両端の第１及び第２の折り曲げ部６１及び６５に押圧力が加わっていない状態、すなわち、自由状態にあるように、コネクタ１０のコンタクト収容空間内に内蔵されている。なお、図２に示されるように、コンタクト６０の第１の折り曲げ部６１は、水平面、すなわち、フロントハウジング２０に形成される第１の収容空間２５の天井面に対して、θ１の角度をなし、弾性変形することなく平坦な状態にある弾性変形部６３は、上述したように水平面に対してθ２の角度をなしている。この時、本実施例において、θ１＋θ２＝２θであることは明白である。また、第２の折り曲げ部６５は、リアハウジング４０に形成される第３の収容空間４５の天井面に対してθ１の角度をなしている。したがって、弾性変形部６３は、第３の収容空間の天井面に対してθ２の角度をなしている。
【００３１】
図１、２に示される状態にあるコネクタ１０にプリント配線板８０及びＦＰＣ９０を対応する第１の収容空間２５及び第３の収容空間４５内にそれぞれ開口２５ａ、４５ａを通して挿入する。プリント配線板８０は、第１の収容空間２５を構成する後壁２３に突き当たるまで、ＦＰＣ９０は、第３の収容空間４５を構成する前壁５７に突き当たるまでそれぞれ挿入される。
【００３２】
この時、上述したように、コンタクト６０の第１及び第２の接点部６２、６４は、それぞれ、第１及び第３の収容空間２５、４５内にほとんど突出していないか突出していても僅かな突出量となるように配置されている。したがって、プリント配線板８０及びＦＰＣ９０を挿入する力をほとんど必要としない。すなわち、プリント配線板８０及びＦＰＣ９０を略無負荷の状態で第１及び第３の収容空間２５、４５内に挿入することができる。このことは、コネクタ１０に挿入されるケーブルに無理な力が加わることによる変形や歪を生じることがなく、ケーブルを傷めることがない。コンタクト６０のこのような配置は、特に、ＦＰＣのような柔軟なケーブルにとって有用である。  
プリント配線板８０とＦＰＣ９０の挿入が完了したら、次に、コネクタ１０が図３、４に示されるような第２の状態になるまで、リアハウジング４０を時計方向に回転させる。なお、リアハウジング４０を回転させる手段は、どのような手段であってもよい。また、リアハウジング４０の時計方向の回転が完了したら、リアハウジング４０の係止爪５４がフロントハウジング２０の係止爪３４に係止される。
【００３３】
リアハウジング４０は、上述したように、時計方向に角度２θ分回転するように構成されており、リアハウジング４０の回転に伴い、図２に示される自由状態にあるコンタクト６０の平坦な弾性変形部６３も、角度θ２分時計方向に回転する。
【００３４】
その結果、コンタクト６０は、図４に示されるように変形する。具体的には、図５を用いて説明する。リアハウジング４０が、図２の第１の状態から時計方向に回転し始めると、コンタクト６０の第１の接点６２がプリント配線板８０に接触する。その接触点は、図５において点Ｂで示されている（正確には、Ｂ点より若干前方で接触する）。
【００３５】
第１の接点部６２がプリント配線板８０に接触して後、リアハウジング４０が時計方向にさらに回転すると、コンタクト６０の弾性変形部６３は、点Ｂを支点として時計方向に回転する。したがって、該弾性変形部６３に第１の接点部６２を介して連続する第１の折り曲げ部６１も点Ｂを支点として時計方向に回転しようとする。
【００３６】
しかしながら、第１の折り曲げ部６１の端部は、上述したように、フロントハウジング２０の上壁２１に形成される第１の収容凹部２６の天井面３１に接するように配置されている（その接触点は、図５において点Ａとして示されている。）ので、第１の折り曲げ部６１は回転することができない。リアハウジング４０の回転により、第１の折り曲げ部６１は、本来弾性変形部６３が回転する角度θ２分時計方向に回転することができず、結果として、第１の折り曲げ部６１は、点Ａにおいて、第１の収容凹部２６の天井面３１を押し上げる力を発生させる。該天井面３１を押し上げる力の反力として、第１の折り曲げ部６１は、天井面３１からＡ点において押し下げ力Ｆを受けることになる。したがって、第１の接点６２とプリント配線板８０との接触点でもある支点Ｂにおいても、この押し下げ力Ｆが作用し、プリント配線板８０から反力Ｐを受ける。当該反力Ｐが、コンタクト６０の第１の接点部６２とプリント配線板８０の外部接点との接触圧となる。このことから、角度θ２を調節することで、接触圧を調整することができることが理解される。但し、平坦な弾性変形部６３が回転する角度θ２は、θ２≦２θの関係になければならない。
【００３７】
同様のことが、コンタクト６０の第２の接点部６４とＦＰＣ９０との間にも言える。図５に示されるように、コンタクト６０の第２の接点部６４とＦＰＣ９０との接触点Ｃ及び第２の折り曲げ部６５と第２の収容凹部４６の天井面５１との接触点Ｄにおいても、ＦＰＣ９０からの反力Ｐ及び押し下げ力Ｆが生じる。なお、接触点Ｃ及び接触点Ｄは、接触点Ｂ及び接触点Ａと対称位置にあり、したがって、図５に示されるようにＦ＝Ｐであることは明白である。
【００３８】
その結果、コンタクト６０の弾性変形部６３は、これらの力が作用することで、図５に示されるように、上に凸に撓む。弾性変形部６３上の、点Ｂからｘだけ離れた点Ｑにおける曲げモーメントは、Ｍｘ＝Ｆ（ｓ＋ｘ）−Ｐｘで与えられる。上述したように、コンタクト６０への力Ｆ及びＰの作用点（Ａ、Ｂ及びＣ、Ｄ）は対称位置にあり、また、力Ｆは力Ｐと同じである。このことから、Ｍｘ＝Ｆｓ＝Ｐｓとなり区間Ｌにおいては常に一定の曲げモーメントが加わる。コンタクト６０の最大撓みは、間隔Ｌの中心部に生じ、その撓み量δは、Ｌの２乗に比例する。したがって、間隔Ｌを大きくとることで弾性変形部６３を十分大きく撓ませることが理解される。
【００３９】
次に、リアハウジング４０の係止爪５４とフロントハウジング２０の係止爪３４との間に作用する力、すなわち、フロントハウジング２０に対するリアハウジング４０の結合力Ｗについて検討する。この結合力Ｗは、図２の状態からリアハウジング４０を回転させ、図４に示すように、フロントハウジング２０に係止させる操作力に等しい。図６に詳細に示されるように、モーメントの釣り合いから、ＷＬ’＝Ｆ（Ｌ／２＋ｓ）−Ｐ（Ｌ／２）が得られる。Ｆ＝Ｐであることから、ＷＬ’＝Ｆｓ＝Ｐｓとなる。したがって、Ｗ＝（ｓ／Ｌ’）×Ｆ＝（ｓ／Ｌ’）×Ｐが得られる。Ｌ’＞＞ｓであれば、結合力Ｗ、すなわち、操作力は、小さくて済む。逆に言えば、フロントハウジング２０、より正確には、リアハウジング４０の長さをある程度大きくすれば、小さな操作力で、大きな接触力を得ることができる。このことから、小ピッチ化、高密度化が進み、コンタクトの数が増大しても操作力が小さくて済むことが理解される。
【００４０】
（第２の実施例）
図７、８を用いて本発明に係る第２の実施例について説明する。図７は、本発明の第２の実施例に係るコネクタの断面図であって、図２と同様にケーブルが挿入されていない第１の状態にあるコネクタの断面図あり、図８は、本発明の第２の実施例に係るコネクタの断面図であって、図４と同様にケーブルが挿入され、ケーブル間を接続している第２の状態にあるコネクタを示す断面図である。
【００４１】
本実施例に係るコネクタ１１０は、プリント配線板とＦＰＣとを電気的に接続する構造に関しては、上記第１の実施例に係るコネクタ１０と全く同じである。本実施例は、フロントハウジング１２０に対してリアハウジング１４０を回転させるために、リンク機構１７０を設けている点で第１の実施例と相違する。なお、第１の実施例と共通する部分は、第１の実施例において部品に付された番号に１００を加えた番号で示し、詳細な説明は省略し、リンク機構１７０を中心に説明する。
【００４２】
本実施例では、図７に示されるように、フロントハウジング１２０の上壁１２１の上面前端部及びリアハウジング１４０の上壁１４１の上面後端部に、それぞれ、一対のリンク連結部１３０、１３０、１５０、１５０が設けられている（図では、片方のみ図示）。該一対のリンク連結部１３０、１３０、１５０、１５０は、それぞれ、上壁１２１及び１４１の幅方向略中央部（図１（ｂ）において示される断面線Ａ−Ａの近傍）に形成される。
【００４３】
一対の連結部１３０、１３０の間には、第１のリンク１７１の一端部１７４が一対の連結部１３０、１３０に対して回転可能にヒンジ連結されている。同様に、一対の連結部１５０、１５０の間には、第２のリンク１７２の一端部１７５が一対の連結部１５０、１５０に対して回転可能にヒンジ連結されている。また、第１のリンク１７１及び第２のリンク１７２のそれぞれの他端部は、駆動連結部１７３において、互に回転自在にヒンジ連結されている。第１のリンク１７１、第２のリンク１７２及び駆動連結部１７３で、リンク機構１７０を形成している。なお、本実施例では、第１のリンク１７１と第２のリンク１７２は、同じ長さである。
【００４４】
該リンク機構１７０は、図７に示されるように、トグル装置（倍力装置）を構成している。コネクタ１１０が図７に示される第１の状態、すなわち、コンタクト１６０が自由状態にあるとき、駆動連結部１７３に第１及び第２のリンク１７１及び１７２の各一端部１７４及び１７５の回転中心を結ぶ線分Ｃに対して垂直方向の操作力Ｗ１を加える。それにより、線分Ｃに沿って第１及び第２のリンク１７１及び１７２の各一端部１７４及び１７５に大きな作用力Ｆ１が生じる。該作用力は、式Ｆ１＝Ｗ１／２ｔａｎθ３で与えられる。ここで、θ３は、線分Ｃと第または第２のリンクとのなす角度である。このことは、θ３が小さくなるに従い、すなわち、第１及び第２のリンク１７１及び１７２が一直線状になるに従い、加える操作力Ｗ１に比べて非常に大きくなることを示す。
【００４５】
作用力Ｆ１は、リアハウジング１４０の回転中心１４４周りに回転力を与え、この回転力によりリアハウジング１４０は、フロントハウジング１２０に対して時計方向に回転する。したがって、リアハウジング１４０は、図７の状態（コネクタ１１０にプリント配線板１８０及びＦＰＣ１９０が挿入される前の第１の状態）から図８の状態（コネクタ１１０にＦＰＣなどのケーブルが挿入され、ケーブル間を接続している第２の状態）になるまで回転する。結果として、第１の実施例と同様に、コンタクト１６０とプリント配線板１８０及びＦＰＣ１９０との適切な電気的接触を得ることができる。
【００４６】
本実施例のリンク機構１７０は、また、図８の状態にあるとき、駆動連結部１７３の中心が水平状態にある一端部１７４及び１７５の回転中心を結ぶ線分Ｃ１より若干（図８において、距離ａで示される分）下側に位置するように形成される。すなわち、第１のリンク１７１と第２のリンク１７２の長さの総和が、対応する連結部１３０及び１５０間の距離より若干大きくなるように第１のリンク１７１及び第２のリンク１７３の長さを設定する。第１のリンク１７１と第２のリンク１７２の連結部である駆動連結部１７３が、図７の状態から下方に押されると、第１のリンク１７１と第２のリンク１７２が一直線の状態に近づく。それに伴い、第１及び第２のリンクの各一端部１７４及び１７５の回転中心を結ぶ線分Ｃは、図８に示されるように水平状態に近づく。この時、駆動連結部１７３は、コンタクト１６０の付勢力によりスナップ動作をし、図８に示されるように、瞬間的に第１及び第２のリンクの各一端部１７４及び１７５の回転中心を結ぶ線分Ｃ１より下側に移動する。それにより、本実施例におけるコネクタ１１０は、図８の状態を保持する。したがって、本実施例では、第１の実施例のように、係止爪３４及び５４による係止機構を省略できる。
【００４７】
以上の通り、本実施例のコネクタ１１０は、リンク機構１７０を備えることにより、小さな操作力Ｗ１でプリント配線板１８０とＦＰＣを円滑且つ容易に接続できるとともに、係止機構を省略することで製造が容易となる。
【００４８】
なお、本実施例のリンク機構１７０は、後述する第３及び第４の実施例にも適用可能である。
【００４９】
（第３の実施例）
図９、１０を用いて本発明に係る第３の実施例について説明する。図９は、本発明の第３の実施例に係るコネクタの断面図であって、図２と同様にケーブルが挿入されていない第１の状態にあるコネクタを示す断面図あり、図１０は、本発明の第３の実施例に係るコネクタの断面図であって、図４と同様にケーブルが挿入され、ケーブル間を接続している第２の状態にあるコネクタを示す断面図である。
【００５０】
本実施例に係るコネクタ２１０は、プリント配線板とＦＰＣとを電気的に接続する構造に関しては、上記第１及び第２の実施例に係るコネクタ１０及び１１０と基本的に同じである。本実施例では、フロントハウジング２２０及びリアハウジング２４０が回転軸２４４を中心にして互いに逆向きに配置される概略対称構造を有している点で第１及び第２の実施例と異なる。すなわち、第１及び第２の実施例で設けられている左右の側壁及び底壁の延長部が本実施例では省略されている。また、ケーブル接続状態を維持するために設けられた、第１の実施例における係止機構及び第２の実施例のけるリンク機構に代えて、本実施例では、固定バー２７８を使用している。さらに、フロントハウジング２２０に対するリアハウジング２４０の回転を与えるべく、駆動治具２７０を採用している。なお、第１の実施例と共通する部分は、第１の実施例において部品に付された番号に２００を加えた番号で示す。
【００５１】
本実施例におけるコネクタ２１０のフロントハウジング２２０は、上述したように底壁２２２及び左右の側壁の延長部が省略されている。すなわち、本実施例におけるフロントハウジング２２０は、第１の実施例における第２の収容空間３７が省略されている。また、本実施例においては、フロントハウジング２２０の上壁２２１の前端部に、上方に向けて突出する第１の突条部２２３が設けられている。これらの構造を除いて、本実施例におけるフロントハウジング２２０は、第１の実施例のフロントハウジング２０と同じ構造を有している。本実施例におけるリアハウジング２４０は、上壁２４１の後端部に上方に向けって突出する第２の突条部２４３が設けられている点を除いて第１の実施例のフロントハウジング４０と同じ構造を備えている。また、本実施例におけるリアハウジング２４０は、ＦＰＣ２９０の外部接点が設けられた接続部を収容する第３の収容空間２４５の大きさを除いてフロントハウジング２２０と回転軸２４４を中心にして略対称形状をなしている。
【００５２】
第１の突条部２２３及び第２の突条部２４３は、それぞれ、フロントハウジング２２０及びリアハウジングの幅方攻略中央部に設けられる。第１の突条部２２３及び第２の突条部２４３には、後述するように、リアハウジング２４０をフロントハウジング２２０に対して時計方向に回転させるのに使用される駆動治具２７０の端部が当接する。
【００５３】
本実施例においては、また、フロントハウジング２２０の上面に、弾性変形可能な弾性アーム２７９を介して円柱形状の固定バー２７８が適宜の箇所に支持される。なお、固定バー２７８は、第１の突条部２２３及び第２の突条部２４３に対応して、フロントハウジング２２０の幅方向略中央部に支持されることが好ましい。また、該固定バー２７８は、弾性アーム２７９により下方に向けて付勢されていることが好ましい。さらに、固定バー２７８は、リアハウジング２４０側に弾性支持されていてもよいし、その形状も円柱形状に限られない。
【００５４】
次に、本実施例におけるコネクタ２１０の接続操作について説明する。図９に、本実施例のコネクタ２１０にプリント配線板２８０及びＦＰＣ２９０が挿入されていない第１の状態にあるコネクタが示されている。
【００５５】
この状態において、プリント配線板２８０及びＦＰＣ２９０を対応する第１の収容空間２２５及び第３の収容空間２４５に挿入する。この時、プリント配線板２８０及びＦＰＣ２９０の挿入力がほとんど必要でないことは第１の実施例と同様である。この状態で、駆動治具２７０を用いて、リアハウジング２４０をフロントハウジング２２０に対して時計方向に回転させる。
【００５６】
ここで、本実施例に使用される駆動治具２７０に関して説明する。駆動治具２７０は、第１の操作レバー２７１ａと第１の作動レバー２７１ｂとがＬ字形に直交する第１の駆動レバー２７１及び第２の操作レバー２７２ａと第２の作動レバー２７２ｂとがＬ字形に直交する第２の駆動レバー２７２を備える。第１の駆動レバー２７１と第２の駆動レバー２７２は、図９に明瞭に示されるように、それぞれの操作レバーと作動レバーが直交する角部において互に回転可能に回転軸２７３を介して対称をなすように連結される。第１の操作レバー２７１ａ、第２の操作レバー２７２ａの長さは、それぞれ、第１の作動レバー２７１ｂ、第２の作動レバー２７２ｂの長さより十分に長い。
【００５７】
コネクタ２１０の接続操作についての説明に戻る。本実施例においては、図９に示される第１の状態にあるコネクタ２１０を、駆動治具２７０を用いてリアハウジング２４０をフロントハウジング２２０に対して時計方向に回転させる。具体的には、図９に示されるように、駆動治具２７０の第１の作動レバー２７１ａ及び第２の作動レバー２７２ａの自由端を、それぞれ、第１の突条部２２３及び第２の突条部２４３に当接させる。
【００５８】
図９に示される第１の状態から、駆動治具２７０の第１の操作レバー２７１ａ及び第２の操作レバー２７２ａをそれぞれ矢印で示される方向に閉じる。この時、第１の作動レバー２７１ｂ及び第２の作動レバー２７２ｂは、第２の実施例と同様のトグル装置を形成する。また、第１の駆動レバー２７１及び第２の駆動レバー２７２は、軸２７３を回動中心とする梃子を形成する。したがって、第１の操作レバー２７１ａ及び第２の操作レバー２７２ｂの自由端を、それぞれ矢印方向に閉じるとともに下方に押し下げるとすると、非常に小さな力でリアハウジング２４０をフロントハウジング２２０に対して時計方向に回転させることが可能となる。
【００５９】
図１０に示されるように、フロントハウジング２２０とリアハウジング２４０が水平方向に一直線状になることで、リアハウジング２４０がフロントハウジング２２０に対して時計方向に回転させることが完了する。この状態で、第１の作動レバー２７１ｂと第２の作動レバー２７２ｂも、一直線状をなすとともに、第１の操作レバー２７１ａと第２の操作レバー２７２ａは、完全に重なり、閉じた状態になる。この時、下方に付勢されている固定バー２７８は、駆動治具２７０の押し下げ力も加えられて、フロントハウジング２２０の傾斜面２２７とリアハウジング２４０の傾斜面とで形成される断面Ｖ字形の空間内に入り込む。このことにより、リアハウジング２４０は、コンタクト２６０の付勢力による反時計方向への回転を阻止され、結果として、コネクタ２１０は、図１０に示される第２の状態を保持する。最終的に、駆動治具２７０が排除され、コネクタ２１０の接続操作が完了する。
【００６０】
以上のように、本実施例のようにコネクタ２１０を構成することで、非常に小さな操作力で、コネクタ２１０の接続操作が可能となるとともに、コネクタ２１０の構造も簡単になり、それによりコネクタ２１０の製造が容易となる。
【００６１】
なお、本実施例における駆動治具２７０によるコネクタの接続操作は、上述した第１、第２の実施例及び後述する第４の実施例にも適用可能である。また、コネクタ２１０の接続操作後の状態を維持する手段としての固定バー２７８も、第１の実施例に適用可能である。
【００６２】
（第４の実施例）
図１１を用いて本発明に係る第４の実施例について説明する。図１１は、本発明の第４の実施例に係るコネクタの断面図であって、図４と同様にケーブルが挿入され、ケーブル間を接続している第２の状態にあるコネクタを示す断面図である。
【００６３】
本実施例に係るコネクタ３１０は、上記第１ないし３の実施例に係るコネクタ１０、１１０及び２１０の変形例である。
【００６４】
本実施例におけるコネクタ３１０は、第３の収容空間３４５がリアハウジング３４０の上壁３４１側に形成され、第２の収容凹部３４６が底壁３４２側に形成されている。また、リアハウジング３４０をフロントハウジング３２０に対して時計方向に回転させるために、第２の実施例に示されるものと同じリンク機構３７０を備えている。本実施例は、これらの構成に関して第３の実施例と異なり、その余の構成は第３の実施例と同じである。
【００６５】
なお、第２の実施例（リンク機構）及び第３の実施例（コネクタ部分）と共通する部分は、それぞれ第２の実施例（リンク機構）において部品に付された１００番台の番号及び第３の実施例（コネクタ部分）において部品に付された２００番台の番号に代えて３００番台の番号を付した番号で示されている。
【００６６】
本実施例におけるコネクタ３１０は、概略、フロントハウジング３２０、リアハウジング３４０、コンタクト３６０及びリンク機構３７０を備えている。
【００６７】
本実施例におけるフロントハウジング３２０及びコンタクト３６０は、第３の実施例と同じ構造を有しているので説明を省略する。また、リンク機構３７０は、第２の実施例と同じ構造を有しているのでこれも説明を省略する。
【００６８】
リアハウジング３４０について説明する。上述したように、リアハウジング３４０は、上壁３４１側に第３の収容空間３４５が形成され、底壁３４２側に第２の収容凹部３４６が形成されている。
【００６９】
具体的には、リアハウジング３４０は、上壁３４１、底壁３４２、左側壁（不図示）、右側壁（不図示）及び後壁３５８を含んでいる。リアハウジング３４０の左右の側壁前端部には、左右に突出する一対の回転軸３４４、３４４が形成されている。リアハウジング３４０の上壁３４１、底壁３４２、左右の側壁及び後壁３５８でコンタクト３６０の弾性変形部３６３の一部、第２の接点部３６４及び第２の折り曲げ部３６５を収容する第２の収容凹部３４６を形成している。第２の収容凹部３４６は、前方に向けて開放し、第１の収容空間３２６に相対して形成される。なお、第２の収容凹部３４６の底面、すなわち、底壁３４２の上面３５５は、図１１に示される状態において、フロントハウジング３２０の後壁３２３の上面３２３ａと同一平面内にある。第２の収容凹部３４６は、フロントハウジング３２０の上壁３２１に形成される第１の収容凹部３２６とともに複数のコンタクト３６０を収容するコンタクト収容空間を形成している。
【００７０】
リアハウジング３４０の上壁３４１には、ＦＰＣ２９０の外部接点が設けられた接続部を収容する第３の収容空間３４５が形成されている。該第３の収容空間３４５は、上記第２の収容凹部３４６に向かって下方に開放している。この第３の収容空間３４５は、さらに、後方に向かって開放し、後壁３５８の上面とでＦＰＣ３９０が挿入される開口を形成している。
【００７１】
上壁３４１の底面３５６前方は、前方に進むに従い上昇する傾斜面３５２として形成されている。該傾斜面３５２は、フロントハウジング３２０の第１の収容凹部３２６の傾斜面３３２と相対するように形成され、第１の収容凹部３２６の傾斜面３３２と同じく水平面に対して所定の傾斜角θ２を有する（第１の実施例の説明参照）。傾斜面３５２は、上述したように、コネクタ３１０にプリント配線板３８０及びＦＰＣ３９０が挿入される前の状態にあるとき、第１の収容凹部３２６の傾斜面３３２と面一となる（図２、７及び９参照）。なお、上壁３４１の底面３５６、すなわち、第２の収容凹部３４６の天井面は、図１１の状態にあるとき、第１の収容凹部３２６の天井面３３１と同一平面内にある。
【００７２】
本実施例においても、コネクタ３１０が、ＦＰＣなどのケーブルが挿入されていない状態（不図示）にあるとき、プリント配線板３８０及びＦＰＣ３９０を、それぞれ、第１の収容空間３２５及び第３の収容空間３４５に無負荷で挿入できる。続いて、リンク機構３７０の駆動連結部３７３を押すことで、リアハウジング３４０をフロントハウジング３２０に対して時計回りに回転させることで、図１１に示される状態にし、コンタクト３６０を介してプリント配線板３８０及びＦＰＣ３９０を電気的に接続することができる。
【図面の簡単な説明】
【００７３】
【図１】ＦＰＣなどのケーブルが挿入されていない第１の状態にあるコネクタの上面図である。
【図２】図１に示されるコネクタのＡ−Ａ線に沿う断面図である。
【図３】ＦＰＣなどのケーブルが挿入され、ケーブル間を接続している第２の状態にある、図１に示されるコネクタの上面図である。
【図４】図３に示されるコネクタのＢ−Ｂ線に沿う断面図である。
【図５】図４に示されるコネクタにおいて、コンタクトに作用する力の関係を説明するための図である。
【図６】図４に示されるコネクタにおいて、コネクタを操作するのに必要な力の大きさを説明するための図である。
【図７】本発明の第２の実施例に係るコネクタの断面図であって、図２と同様にケーブルが挿入されていない第１の状態を示すコネクタの断面図ある。
【図８】本発明の第２の実施例に係るコネクタの断面図であって、図４と同様にケーブルが挿入され、ケーブル間を接続している第２の状態を示す断面図である。
【図９】本発明の第３の実施例に係るコネクタの断面図であって、図２と同様にケーブルが挿入されていない第１の状態を示すコネクタの断面図ある。
【図１０】本発明の第３の実施例に係るコネクタの断面図であって、図４と同様にケーブルが挿入され、ケーブル間を接続している第２の状態を示す断面図である。
【図１１】本発明の第４の実施例に係るコネクタの断面図であって、図４と同様にケーブルが挿入され、ケーブル間を接続している第２の状態を示す断面図である。
【符号の説明】
【００７４】
１０、１１０、２１０、３１０    無負荷挿抜形中継コネクタ
２０、１２０、２２０、３２０    フロントハウジング
２５、１２５、２２５、３２５    第１の収容空間
２６、１２６、２２６、３２６    第１の収容凹部
３７、１３７                    第２の収容空間
４０、１４０、２４０、３４０    リアハウジング
４４、１４４、２４４、３４４    回転軸（回転中心）
４５、１４５、２４５、３４５    第３の収容空間
４６、１４６、２４６、３４６    第２の収容空間
６０、１６０、２６０，３６０    コンタクト
６１、１６１、２６１、３６１    第１の折り曲げ部
６２、１６２、２６２、３６２    第１の接点部
６３、１６３、２６３、３６３    弾性変形部
６４、１６４、２６４、３６４    第２の接点部
６５、１６５、２６５、３６５    第２の折り曲げ部
８０、１８０、２８０、３８０    第１のケーブル（プリント配線板）
９０、１９０、２９０、３９０    第２のケーブル（ＦＰＣ）
１７０                          リンク機構
１７１                          第１のリンク
１７２                          第２のリンク
【図１】
2008147130.tif 000003
【図２】
2008147130.tif 000004
【図３】
2008147130.tif 000005
【図４】
2008147130.tif 000006
【図５】
2008147130.tif 000007
【図６】
2008147130.tif 000008
【図７】
2008147130.tif 000009
【図８】
2008147130.tif 000010
【図９】
2008147130.tif 000011
【図１０】
2008147130.tif 000012
【図１１】
2008147130.tif 000013